(57)【要約】  モバイルノード（ＭＮ）がサービス毎に異なる複数の通信用ＩＰアドレス（Ｈｏｍｅ  Ａｄｄｒｅｓｓ：ＨｏＡ）を同時に必要とする場合に、無線区間を伝播するホームアドレス（ＨｏＡ）の取得やハンドオーバ時のシグナリング量を削減する。ＡＡＡサーバは、モバイルノード（ＭＮ）の認証情報と共に、モバイルノード（ＭＮ）が享受する全サービスのサービス識別子とホームエージェント（ＨＡ）情報を保持する。また、ＡＡＡサーバは、モバイルノード（ＭＮ）が享受する全サービスに対して、モバイルノード（ＭＮ）が各通信サービスに使うホームアドレス（ＨｏＡ）とモバイルノード（ＭＮ）が在圏するネットワーク情報を有するＩＰアドレス（Ｃａｒｅ−ｏｆ  Ａｄｄｒｅｓｓ：ＣｏＡ）との対応関係を、対応するサービス識別子に関連付けられたホームエージェント（ＨＡ）に登録する。
2008059750.tif 000002
【特許請求の範囲】
【請求項１】
通信サービス毎に割り振られたホームエージェント（ＨＡ）と、
モバイルノード（ＭＮ）が享受するサービスのサービス識別子と、前記サービスに使うホームアドレス（ＨｏＡ）（Ｈｏｍｅ  Ａｄｄｒｅｓｓ：ＨｏＡ）と、前記サービスに関連付けられた前記ホームエージェント（ＨＡ）のアドレスとを含む少なくとも１つの情報セットを、１つのＲＲＰ（Ｒｅｇｉｓｔｒａｔｉｏｎ  Ｒｅｐｌｙ）メッセージに載せて前記モバイルノード（ＭＮ）に通知するフォーリンエージェント（ＦＡ）と、
前記モバイルノード（ＭＮ）の認証情報と共に、前記サービス識別子とホームエージェント（ＨＡ）情報を保持する認証サーバと
を具備する
移動体通信管理システム。
【請求項２】
請求の範囲１に記載の移動体通信管理システムであって、
前記認証サーバは、前記サービスに対して、前記ホームアドレス（ＨｏＡ）と前記モバイルノード（ＭＮ）が在圏するネットワーク情報を有するケア・オブ・アドレス（ＣｏＡ）（Ｃａｒｅ−ｏｆ  Ａｄｄｒｅｓｓ：ＣｏＡ）との対応関係を、対応するサービス識別子に関連付けられた前記ホームエージェント（ＨＡ）に登録する
移動体通信管理システム。
【請求項３】
請求の範囲１又は２に記載の移動体通信管理システムであって、
前記認証サーバは、前記サービス識別子と、前記ホームアドレス（ＨｏＡ）と、前記サービスに関連付けられた前記ホームエージェント（ＨＡ）のアドレスを、前記フォーリンエージェント（ＦＡ）に通知する
移動体通信管理システム。
【請求項４】
請求の範囲１乃至３のいずれかに記載の移動体通信管理システムであって、
前記フォーリンエージェント（ＦＡ）は、必要な機能を有することをエージェントアドバタイズメント（Ａｇｅｎｔ  Ａｄｖｅｒｔｉｓｅｍｅｎｔ：ＡＡ）メッセージに載せて前記モバイルノード（ＭＮ）に通知する
移動体通信管理システム。
【請求項５】
請求の範囲１乃至４のいずれかに記載の移動体通信管理システムであって、
前記モバイルノード（ＭＮ）は、前記サービス識別子と、対応したホームアドレス（ＨｏＡ）と、前記ホームエージェント（ＨＡ）のアドレスとを保持する
移動体通信管理システム。
【請求項６】
請求の範囲１乃至５のいずれかに記載の移動体通信管理システムであって、
前記モバイルノード（ＭＮ）は、前記ホームエージェント（ＨＡ）に位置登録するために必要な情報をＲＲＱ（Ｒｅｇｉｓｔｒａｔｉｏｎ  Ｒｅｑｕｅｓｔ）メッセージに載せて前記フォーリンエージェント（ＦＡ）に通知する
移動体通信管理システム。
【請求項７】
請求の範囲６に記載の移動体通信管理システムであって、
前記フォーリンエージェント（ＦＡ）は、前記モバイルノード（ＭＮ）から受信したＲＲＱを解析して前記ホームエージェント（ＨＡ）に対するＲＲＱメッセージを個別に構築する
移動体通信管理システム。
【請求項８】
請求の範囲６又は７に記載の移動体通信管理システムであって、
前記フォーリンエージェント（ＦＡ）は、前記モバイルノード（ＭＮ）から受信したＲＲＱを用いて構築したＲＲＱメッセージを、対応する前記ホームエージェント（ＨＡ）に送信する
移動体通信管理システム。
【請求項９】
請求の範囲１乃至８のいずれかに記載の移動体通信管理システムであって、
前記フォーリンエージェント（ＦＡ）は、前記ホームエージェント（ＨＡ）から受信したＲＲＰを解析して、前記モバイルノード（ＭＮ）に対するＲＲＰメッセージを構築する
移動体通信管理システム。
【請求項１０】
請求の範囲１乃至９のいずれかに記載の移動体通信管理システムであって、
前記フォーリンエージェント（ＦＡ）は、前記ホームエージェント（ＨＡ）から受信したＲＲＰを用いて構築した前記モバイルノード（ＭＮ）に対するＲＲＰメッセージを前記モバイルノード（ＭＮ）に送信する
移動体通信管理システム。
【請求項１１】
（ａ１）モバイルノード（ＭＮ）がフォーリンエージェント（ＦＡ）に接続すると、前記フォーリンエージェント（ＦＡ）がエージェントアドバタイズメント（Ａｇｅｎｔ  Ａｄｖｅｒｔｉｓｅｍｅｎｔ：ＡＡ）を前記モバイルノード（ＭＮ）に送信するステップと、
（ａ２）前記モバイルノード（ＭＮ）がエージェントアドバタイズメントを受信すると、バルクＲＲＱ（Ｒｅｇｉｓｔｒａｔｉｏｎ  Ｒｅｑｕｅｓｔ）を前記フォーリンエージェント（ＦＡ）に送信するステップと、
（ａ３）前記フォーリンエージェント（ＦＡ）がバルクＲＲＱを受信すると、受信したバルクＲＲＱから、通信サービス毎に割り振られたホームエージェント（ＨＡ）に対するＲＲＱを構築し、対応する前記ホームエージェント（ＨＡ）に対して送信するステップと、
（ａ４）前記フォーリンエージェント（ＦＡ）が、前記ホームエージェント（ＨＡ）からＲＲＰ（Ｒｅｇｉｓｔｒａｔｉｏｎ  Ｒｅｐｌｙ）を受信すると前記モバイルノード（ＭＮ）に対してバルクＲＲＰを送信するステップと
を含む
移動体通信管理方法。
【請求項１２】
請求の範囲１１に記載の移動体通信管理方法であって、
前記（ａ３）ステップは、
（ａ３１）前記フォーリンエージェント（ＦＡ）がバルクＲＲＱを受信すると、前記モバイルノード（ＭＮ）が享受するサービスに対するホームアドレス（ＨｏＡ）（Ｈｏｍｅ  Ａｄｄｒｅｓｓ：ＨｏＡ）と前記ホームエージェント（ＨＡ）のアドレスとを求めるために、前記認証サーバにＡＭＲ（ＡＡ−Ｍｏｂｉｌｅ−Ｎｏｄｅ−Ｒｅｑｕｅｓｔ）を送信して問い合わせるステップと、
（ａ３２）前記認証サーバがＡＭＲを受信し、ＡＭＲから前記モバイルノード（ＭＮ）が前記サービスに対するホームアドレス（ＨｏＡ）及びホームエージェント（ＨＡ）解決を希望していることを認識すると、自身の保持する前記サービスのサービス識別子に対応する前記ホームエージェント（ＨＡ）情報から、サービス毎に前記ホームエージェント（ＨＡ）のアドレスを求め、前記ホームエージェント（ＨＡ）に対して前記モバイルノード（ＭＮ）のホームアドレス（ＨｏＡ）と前記モバイルノード（ＭＮ）が在圏するネットワーク情報を有するケア・オブ・アドレス（ＣｏＡ）（Ｃａｒｅ−ｏｆ  Ａｄｄｒｅｓｓ：ＣｏＡ）とを登録するステップと、
（ａ３３）前記ホームエージェント（ＨＡ）に対する登録が完了すると、前記認証サーバが、ＡＭＡ（ＡＡ−Ｍｏｂｉｌｅ−Ｎｏｄｅ−Ａｎｓｗｅｒ）に前記サービス識別子に対応するホームアドレス（ＨｏＡ）及び前記ホームエージェント（ＨＡ）のアドレスを含めて前記フォーリンエージェント（ＦＡ）に送信するステップと、
（ａ３４）前記フォーリンエージェント（ＦＡ）がＡＭＡを受信すると前記サービス識別子に対応するホームアドレス（ＨｏＡ）及び前記ホームエージェント（ＨＡ）のアドレス情報を含んだバルクＲＲＰ（Ｒｅｇｉｓｔｒａｔｉｏｎ  Ｒｅｐｌｙ）を構築し、前記モバイルノード（ＭＮ）に送信するステップと
を含む
移動体通信管理方法。
【請求項１３】
請求の範囲１２に記載の移動体通信管理方法であって、
前記（ａ３）ステップは、
（ａ３５）前記ホームエージェント（ＨＡ）への登録が失敗した場合、ＲＲＰのＣｏｄｅフィールドにエラーコードが含まれ、前記フォーリンエージェント（ＦＡ）が、前記ホームエージェント（ＨＡ）から受信したＲＲＰがエラーであってもバルクＲＲＰを構築して前記モバイルノード（ＭＮ）に送信するステップと、
（ａ３６）前記モバイルノード（ＭＮ）がバルクＲＲＰを受信すると、バルクＲＲＰを解析して位置登録が失敗したことを検出し、登録失敗した前記ホームエージェント（ＨＡ）に対して再送処理を行うステップと
を更に含む
移動体通信管理方法。
【請求項１４】
請求の範囲１１乃至１３のいずれかに記載の移動体通信管理方法であって、
（ａ５）前記フォーリンエージェント（ＦＡ）が一定時間待ってもＲＲＰが返ってこないことを検出すると、ＲＲＰが返ってこなかったＲＲＱに対するＲＲＰを前記フォーリンエージェント（ＦＡ）内で作成した後、バルクＲＲＰを作成し、前記モバイルノード（ＭＮ）に送信するステップと、
（ａ６）前記モバイルノード（ＭＮ）がバルクＲＲＰを受信すると、バルクＲＲＰを解析して位置登録がタイムアウトしたことを検出し、登録失敗した前記ホームエージェント（ＨＡ）に対して再送処理を行うステップと
を更に含む
移動体通信管理方法。
【請求項１５】
請求の範囲１１乃至１４のいずれかに記載の移動体通信管理方法であって、
（ｂ１）前記モバイルノード（ＭＮ）が前記フォーリンエージェント（ＦＡ）のうち第１フォーリンエージェント（ＦＡ）から第２フォーリンエージェント（ＦＡ）へ移動したことを検知すると、Ｌ２  ｔｒｉｇｇｂｒ信号を前記第１フォーリンエージェント（ＦＡ）に送信して前記第２フォーリンエージェント（ＦＡ）へハンドオーバすることを前記第１フォーリンエージェント（ＦＡ）に通知するステップと、
（ｂ２）前記第１フォーリンエージェント（ＦＡ）がＬ２  ｔｒｉｇｇｂｒ信号を受信すると、前記第２フォーリンエージェント（ＦＡ）に対してコンテキスト情報を送信するステップと、
（ｂ３）前記第２フォーリンエージェント（ＦＡ）がコンテキスト情報を取得すると、前記モバイルノード（ＭＮ）に対してエージェントアドバタイズメント（Ａｇｂｎｔ  Ａｄｖｂｒｔｉｓｂｍｂｎｔ：ＡＡ）を送信するステップと、
（ｂ４）前記モバイルノード（ＭＮ）がエージェントアドバタイズメントを受信すると、移動を検知してバルクＲＲＱ（Ｒｂｇｉｓｔｒａｔｉｏｎ  Ｒｂｑｕｂｓｔ）を前記第２フォーリンエージェント（ＦＡ）へ送信するステップと、
（ｂ５）前記第２フォーリンエージェント（ＦＡ）がバルクＲＲＱを受信すると、バルクＲＲＱとコンテキスト情報を用いて通信サービス毎に割り振られた前記ホームエージェント（ＨＡ）に対するＲＲＱを再構築し、対応する前記ホームエージェント（ＨＡ）に対して送信するステップと、
（ｂ６）前記第２フォーリンエージェント（ＦＡ）が前記ホームエージェント（ＨＡ）からＲＲＰ（Ｒｂｇｉｓｔｒａｔｉｏｎ  Ｒｂｐｌｙ）を受信すると、バルクＲＲＰを構築し、前記モバイルノード（ＭＮ）に送信するステップと
を更に含む
移動体通信管理方法。
【発明の詳細な説明】
【技術分野】
【０００１】
本発明は、移動体通信管理システムに関し、特に無線通信端末の移動体通信管理システムに関する。なお、本出願は、日本出願番号２００６−３０６１５６に基づく優先権を主張するものであり、日本出願番号２００６−３０６１５６における開示内容は引用により本出願に組み込まれる。
【背景技術】
【０００２】
モバイルノード（Ｍｏｂｉｌｅ  Ｎｏｄｅ：ＭＮ）のモビリティを提供するサービスとしてＭＩＰｖ４（Ｍｏｂｉｌｅ  ＩＰｖ４）技術が存在する。ＭＩＰｖ４技術では、ホームエージェント（Ｈｏｍｅ  Ａｇｅｎｔ：ＨＡ）と呼ばれるアンカールータが、モバイルノード（ＭＮ）が通信に使うＩＰアドレス（Ｈｏｍｅ  Ａｄｄｒｅｓｓ：ＨｏＡ）と、モバイルノード（ＭＮ）が在圏するネットワークにおいて使用されるＩＰアドレス（Ｃａｒｅ−ｏｆ  Ａｄｄｒｅｓｓ：ＣｏＡ）との対応関係（バインディング情報）が管理され、モバイルノード（ＭＮ）のホームアドレス（ＨｏＡ）宛のＩＰパケットが受信されるとケア・オブ・アドレス（ＣｏＡ）宛にカプセル化されて転送される。これにより移動先のモバイルノード（ＭＮ）がパケットを受信するることができる。なお、ケア・オブ・アドレス（ＣｏＡ）は、手紙でいう「気付」の意味をもつ「気付アドレス」であり、例えばモバイルＩＰ環境で、移動ノードが移動先ネットワークに接続した際、通常使用しているＩＰアドレスとは別に、移動先ネットワークから与えられる新しいアドレスである。ホームエージェント（ＨＡ）がモバイルノード（ＭＮ）の移動に伴いモバイルノード（ＭＮ）のバインディング情報を更新する。このため、モバイルノード（ＭＮ）は移動するたび、もしくは定期的にフォーリンエージェント（Ｆｏｒｅｉｇｎ  Ａｇｅｎｔ：ＦＡ）を介してホームエージェント（ＨＡ）に位置登録を行う。【０００３】
また、「Ｐ．Ｃａｌｈｏｕｎ他、“Ｄｉａｍｅｔｅｒ  Ｍｏｂｉｌｅ  ＩＰｖ４  Ａｐｐｌｉｃａｔｉｏｎ”、［ｏｎ−ｌｉｎｅ］、ＩＥＴＦ、［２００６年９月１４日検索］、インターネット＜ｈｔｔｐ：／／ｗｗｗ．ｉｅｔｆ．ｏｒｇ／ｒｆｃ／ｒｆｃ４００４．ｔｘｔ＞」に開示されているように、モバイルノード（ＭＮ）がホームアドレス（ＨｏＡ）を取得する一方法では、モバイルノード（ＭＮ）が送信した位置登録信号のうち、「ホームアドレス（ＨｏＡ）又はホームエージェント（ＨＡ）のＩＰアドレスフィールド」が空の位置登録信号をフォーリンエージェント（ＦＡ）が受信すると、ホームエージェント（ＨＡ）やフォーリンエージェント（ＦＡ）がＡＡＡ装置と連携してホームアドレス（ＨｏＡ）をモバイルノード（ＭＮ）に割り当てる。なお、ＡＡＡ装置とは、Ａｕｔｈｅｎｔｉｃａｔｉｏｎ、Ａｕｔｈｏｒｉｚａｔｉｏｎ、Ａｃｃｏｕｎｔｉｎｇ（認証、許可、会計）を行うサーバその他の装置を示す。【０００４】
しかし、近年のモバイルサービスのように、サービス毎に適したホームアドレス（ＨｏＡ）をモバイルノード（ＭＮ）に割り当てる場合には、１台のモバイルノード（ＭＮ）が享受するサービスの数だけ異なるホームアドレス（ＨｏＡ）を同時に保持し続けなければならない。このような状況下では、通信状態を維持し、サービスを継続して提供するために、サービス毎に適した「ホームアドレス（ＨｏＡ）」、及び、モバイルノード（ＭＮ）の「現在の位置情報」が必要となるため、モバイルノード（ＭＮ）は、定期的に無線帯域を使用してネットワーク側と通信を行い、サービス毎に個別のホームアドレス（ＨｏＡ）の取得、及び、自身の位置登録を行わなければならない。このため、使用可能な無線帯域が圧迫される。【０００５】
先に説明した方法では１回の処理で１つのホームアドレス（ＨｏＡ）の割当てしかできない。これはフォーリンエージェント（ＦＡ）の有無にかかわらず、モバイルノード（ＭＮ）がＭＩＰｖ４という共通の技術を利用してモビリティサービスを享受できるようにするため、ホームアドレス（ＨｏＡ）毎に位置登録が必要としているからである。そのため、先に説明した方法では上記課題を解決できない。【０００６】
ＭＩＰｖ４ではないが、「３ＧＰＰ  ＴＳ２３．０６０  “Ｇｅｎｅｒａｌ  Ｐａｃｋｅｔ  Ｒａｄｉｏ  Ｓｅｒｖｉｃｅ  （ＧＰＲＳ）；  Ｓｅｒｖｉｃｅ  ｄｅｓｃｒｉｐｔｉｏｎ；  Ｓｔａｇｅ  ２”、［ｏｎ−ｌｉｎｅ］、３ＧＰＰ、［２００６年９月１４日検索］、インターネット＜ｈｔｔｐ：／／ｗｗｗ．３ｇｐｐ．ｏｒｇ／ｆｔｐ／Ｓｐｅｃｓ／ａｒｃｈｉｖｅ／２３＿ｓｅｒｉｅｓ／２３．０６０／２３０６０−７１０．ｚｉｐ＞」に開示されている技術では、モバイルノード（ＭＮ）が位置登録のため１つのＲｏｕｔｉｎｇ  Ａｒｅａ  Ｕｐｄａｔｅ  ＲｅｑｕｅｓｔというメッセージをＳＧＳＮ（ＭＩＰｖ４におけるフォーリンエージェント（ＦＡ）相当）に送信すると、ＳＧＳＮが経路の切り替えが必要なＧＧＳＮ（ＭＩＰｖ４におけるホームエージェント（ＨＡ）相当）に対してＵｐｄａｔｅ  ＰＤＰ  Ｃｏｎｔｅｘｔ  Ｒｅｑｕｅｓｔというメッセージを送信する。このように、位置登録に関する無線区間のシグナリングの最適化は検討されているが、ホームアドレス（ＨｏＡ）相当の通信用ＩＰアドレスの割り当てに関しては、依然として個別に行われている。【０００７】
図１を参照して、ＭＩＰｖ４のアドレス取得方法を説明する。ここでは、ホームエージェント（ＨＡ）１−１〜１−ｎと、フォーリンエージェント（ＦＡ）２と、ＡＡＡ装置３と、モバイルノード（ＭＮ）４を備えるシステムを例に説明する。
図１において、モバイルノード（ＭＮ）４は、ホームエージェント（ＨＡ）１−１〜１−ｎの各々にアドレス取得のためのシグナリングを送信する。しかしながら、一般的なアドレス取得方法においては、モバイルノード（ＭＮ）４がホームエージェント（ＨＡ）１−１〜１−ｎの各々に対して個別にアドレス取得を行うため、モバイルノード（ＭＮ）４とホームエージェント（ＨＡ）１−１〜１−ｎの各々との間の無線区間を通過するシグナリングが多くなる。例えば、本図においては、モバイルノード（ＭＮ）４は、最初にフォーリンエージェント（ＦＡ）２からのエージェントアドバタイズメント（Ａｇｅｎｔ  Ａｄｖｅｒｔｉｓｅｍｅｎｔ：ＡＡ）に応じてフォーリンエージェント（ＦＡ）モードの選択を行った後、アドレス取得とハンドオーバでそれぞれ、フォーリンエージェント（ＦＡ）２にレジストレーションリクエスト（Ｒｅｇｉｓｔｒａｔｉｏｎ  Ｒｅｑｕｅｓｔ：ＲＲＱ）を送信し、フォーリンエージェント（ＦＡ）２からＲＲＰ（Ｒｅｇｉｓｔｒａｔｉｏｎ  Ｒｅｐｌｙ）を受信する。フォーリンエージェント（ＦＡ）２は、アドレス取得の際には、ホームエージェント（ＨＡ）１−１〜１−ｎを介して、ＡＡＡ装置３にＡＭＲ（ＡＡ−Ｍｏｂｉｌｅ−Ｎｏｄｅ−Ｒｅｑｕｅｓｔ）を送信し、ＡＡＡ装置３からＡＭＡ（ＡＡ−Ｍｏｂｉｌｅ−Ｎｏｄｅ−Ａｎｓｗｅｒ）を受信する。ホームエージェント（ＨＡ）１−１〜１−ｎの各々は、アドレス取得の際には、ＡＡＡ装置３にＨＡＲ（Ｈｏｍｅ  Ａｇｅｎｔ  Ｒｅｑｕｅｓｔ）を送信し、ＡＡＡ装置３からＨＡＡ（Ｈｏｍｅ  Ａｇｅｎｔ  Ａｎｓｗｅｒ）を受信している。また、フォーリンエージェント（ＦＡ）２は、ハンドオーバの際には、ホームエージェント（ＨＡ）１−１〜１−ｎの各々にＲＲＱを送信し、ホームエージェント（ＨＡ）１−１〜１−ｎの各々からＲＲＰを受信する。一般的なアドレス取得方法においては、上記の各通信を、アドレス取得とハンドオーバでそれぞれ（ホームエージェント（ＨＡ）の数分に等しい）ｎ回分繰り返す必要がある。すなわち、アドレス取得とハンドオーバでそれぞれｎ回分シグナリングが通過することになる。【０００８】
関連する技術として、特開２００４−０４０７５５号公報に、組合せモバイルＩＰシステム及びこれを用いたモビリティ管理方法が開示されている。この関連技術では、組合せモバイルＩＰシステムは、１つのホームネットワークと、１つ又はそれ以上のフォーリンネットワークとに分けられる。ホームネットワークには、モバイルノード（ＭＮ）との相互無線通信を行うためのメインサーバを有し、ホームネットワークを管理するホームエージェント（ＨＡ）が存在する。フォーリンネットワークには、モバイルノード（ＭＮ）とホームエージェント（ＨＡ）との相互無線通信を中継し、且つフォーリンネットワークを管理するフォーリンエージェント（ＦＡ）が存在する。【０００９】
また、特開２００４−２１５１１８号公報に、移動通信網、無線ネットワーク制御装置、モバイルノード（ＭＮ）及びそれらに用いる輻輳低下方法が開示されている。この関連技術における移動通信網は、モバイルノード（ＭＮ）と、無線基地局（Ｎｏｄｅ  Ｂ）と、ＩＰ−ＲＮＣ（Ｉｎｔｅｒｎｅｔ  Ｐｒｏｔｏｃｏｌ−Ｒａｄｉｏ  Ｎｅｔｗｏｒｋ  Ｃｏｎｔｒｏｌｌｅｒ）と、ＡＡＡサーバ（Ａｕｔｈｅｎｔｉｃａｔｉｏｎ，Ａｕｔｈｏｒｉｚａｔｉｏｎ，ａｎｄ  Ａｃｃｏｕｎｔｉｎｇ  Ｓｅｒｖｅｒ）と、ホームエージェント（ＨＡ）と、コンテンツサーバ（Ｃｏｎｔｅｎｔｓ  Ｓｅｒｖｅｒ）と、ルーターと、コアネットワーク（ＩＰ  ｂａｓｅｄ  Ｃｏｒｅ  Ｎｅｔｗｏｒｋ）と、インターネット（ｔｈｅ  Ｉｎｔｅｒｎｅｔ）とから構成されている。【００１０】
また、特開２００５−３４０９８２号公報に、通信システム及び通信制御装置が開示されている。この関連技術における通信網は、モバイルノード（ＭＮ）のホーム網とＩＰ網と在圏網とを備える。それらの網はＩＰｖ６網であるが、ＩＰｖ４網やその他の網でもよい。Ｍｏｂｉｌｅ  ＩＰｖ６対応モバイルノード（ＭＮ）は、Ｍｏｂｉｌｅ  ＩＰｖ４やその他のプロトコルに準拠した端末でも良い。在圏網とＩＰ網、及び、ＩＰ網とホーム網は、ルータ、或いは、ゲートウェイ装置を介して接続されている。在圏網とホーム網は、ルータ、或いは、ゲートウェイ装置を介して接続されていても良い。ホーム網は、プレゼンスサーバ、ホームエージェント（ＨＡ）、情報配信サーバ、ＳＩＰサーバを備える。在圏網は、ＩＰ網とのインタフェースを持つルータを備える。ホームエージェント（ＨＡ）はＭｏｂｉｌｅ  ＩＰｖ６対応ホームエージェント（ＨＡ）である。ホームエージェント（ＨＡ）はホーム網以外に存在するモバイルノード（ＭＮ）の位置情報を管理する。位置情報とは、モバイルノード（ＭＮ）のホームアドレス（ＨｏＡ）と気付アドレスのバインディング情報である。ホームエージェント（ＨＡ）は通信相手端末がモバイルノード（ＭＮ）のホームアドレス（ＨｏＡ）宛に送信するパケットを捕捉して、在圏網に存在するモバイルノード（ＭＮ）にパケットを転送する機能を備えている。モバイルノード（ＭＮ）は、モバイルＩＰ対応モバイルノード（ＭＮ）機能とＳＩＰプロトコルを処理する機能を備えている。モバイルノード（ＭＮ）は、ＳＩＰ識別子としてＳＩＰ  ＵＲＩを保持する。【００１１】
また、特開２００６−２１１６５６号公報に、移動ＩＰ（Ｍｏｂｉｌｅ  ＩＰ）環境におけるモバイルノード（ＭＮ）の登録方法及び前記方法による移動ＩＰネットワークシステムが開示されている。この関連技術における移動ＩＰネットワークシステムは、移動ＩＰ環境において、第１サブネットに属し、第１サブネットに隣接する訪問先エージェントのケアオブアドレス（ＣｏＡ）情報を持つ第１訪問先エージェントと、第２サブネットに属する第２訪問先エージェントと、第１サブネットから第２サブネットに移動し、第２訪問先エージェントを通じて自分のホームエージェント（ＨＡ）に自分の経路を登録するモバイルノード（ＭＮ）を含む。このとき、モバイルノード（ＭＮ）は第１訪問先エージェントから第１サブネットに隣接する訪問先エージェントのケアオブアドレス（ＣｏＡ）を含むメッセージを受信してケアオブアドレス（ＣｏＡ）情報を収集し、第２サブネットに移動した後、収集されたケアオブアドレス情報を含むメッセージをブロードキャストする。第２訪問先エージェントはブロードキャストされたメッセージを受信してケアオブアドレス（ＣｏＡ）情報を抽出し、抽出されたケアオブアドレス（ＣｏＡ）情報が、第２訪問先エージェントが付与したケアオブアドレス（ＣｏＡ）情報と等しい場合に抽出されたケアオブアドレス（ＣｏＡ）情報をホームエージェント（ＨＡ）に伝送してモバイルノード（ＭＮ）をホームエージェント（ＨＡ）に登録する。【００１２】
また、「特表２００４−５１２７６４号公報」に、移動通信システムにおける移動ＩＰアドレスを有するモバイルノード（ＭＮ）のハンドオーバ方法が開示されている。この関連技術は、移動通信システムにおいて、移動ＩＰアドレスを有するモバイルノード（ＭＮ）がホームエージェント（ＨＡ）領域ではないフォーリンエージェント（ＦＡ）領域で通信を実行する場合でも、ハンドオーバを円滑に遂行することを目的としている。この関連技術では、モバイルノード（ＭＮ）が第１フォーリンエージェント（ＦＡ）領域から第１フォーリンエージェント（ＦＡ）に隣接した第２フォーリンエージェント（ＦＡ）領域へ移動するにつれてハンドオーバが発生する場合、第２フォーリンエージェント（ＦＡ）は、第２フォーリンエージェント（ＦＡ）のＩＰアドレスを含むバインディングアップデートメッセージを伝送する。バインディングアップデートメッセージに応答して、第１フォーリンエージェント（ＦＡ）は、モバイルノード（ＭＮ）が呼を連結する該当ノード（ＣＮ）に連結されたルータのＩＰトンネリング能力を示すフィールドを含むバインディングアクノリッジメッセージを第２フォーリンエージェント（ＦＡ）へ伝送する。【００１３】
更に、「特表２００６−５０５１５４号公報」に、モバイルＩＰの動的ホームエージェント（ＨＡ）割当ての方法及び装置が開示されている。この関連技術では、モバイルＩＰレジストレーションリクエストを複数のホームエージェント（ＨＡ）の１つに分配する。レジストレーションリクエストは、モバイルノード（ＭＮ）がローミングしたフォーリンエージェント（ＦＡ）から受信される。複数のホームエージェント（ＨＡ）の１つが選択される。レジストレーションリクエストは、次に、複数のホームエージェント（ＨＡ）のうちの選択された１つに転送される。レジストレーションリクエストのソースＩＰアドレスは、モバイルノード（ＭＮ）がローミングしたフォーリンエージェント（ＦＡ）のＩＰアドレスであり、それによって複数のホームエージェント（ＨＡ）のうちの選択された１つは、ネットワーク装置による代行受信なしにモバイルＩＰレジストレーションリプライを直接フォーリンエージェント（ＦＡ）に送ることが可能になる。このとき、フォーリンエージェント（ＦＡ）はＡＡＡサーバからＩＰアドレスを得ることも可能である旨の示唆がある。
【発明の開示】
【００１４】
本発明の目的は、ＡＡＡサーバでモバイルノード（ＭＮ）が享受する全サービスのサービス識別子とホームエージェント（ＨＡ）情報を管理するために、無線区間を通過するシグナリング量が削減された移動体通信管理システムを提供することである。
【００１５】
本発明のある観点において、本発明の移動体通信管理システムは、通信サービス毎に割り振られたホームエージェント（ＨＡ）と、モバイルノード（ＭＮ）が享受するサービスのサービス識別子と、サービスに使うホームアドレス（ＨｏＡ）と、サービスに関連付けられたホームエージェント（ＨＡ）のアドレスとを含む少なくとも１つの情報セットを、１つのＲＲＰ（Ｒｅｇｉｓｔｒａｔｉｏｎ  Ｒｅｐｌｙ）メッセージに載せてモバイルノード（ＭＮ）に通知するフォーリンエージェント（ＦＡ）と、モバイルノード（ＭＮ）の認証情報と共に、サービス識別子とホームエージェント（ＨＡ）情報を保持する認証サーバとを具備する。
【００１６】
認証サーバは、サービスに対して、ホームアドレス（ＨｏＡ）とモバイルノード（ＭＮ）が在圏するネットワーク情報を有するケア・オブ・アドレス（ＣｏＡ）との対応関係を、サービス識別子に関連付けられたホームエージェント（ＨＡ）に登録する。
認証サーバは、サービス識別子と、ホームアドレス（ＨｏＡ）と、サービスに関連付けられたホームエージェント（ＨＡ）のアドレスを、フォーリンエージェント（ＦＡ）に通知する。フォーリンエージェント（ＦＡ）は、必要な機能を有することをエージェントアドバタイズメント（Ａｇｅｎｔ  Ａｄｖｅｒｔｉｓｅｍｅｎｔ：ＡＡ）メッセージに載せてモバイルノード（ＭＮ）に通知する。モバイルノード（ＭＮ）は、サービス識別子と対応したホームアドレス（ＨｏＡ）とホームエージェント（ＨＡ）のアドレスとを保持する。モバイルノード（ＭＮ）は、全てのホームエージェント（ＨＡ）に位置登録するために必要な情報を１つのＲＲＱ（Ｒｅｇｉｓｔｒａｔｉｏｎ  Ｒｅｑｕｅｓｔ）メッセージに載せてフォーリンエージェント（ＦＡ）に通知する。フォーリンエージェント（ＦＡ）は、モバイルノード（ＭＮ）から受信したＲＲＱを解析して全てのホームエージェント（ＨＡ）に対するＲＲＱメッセージを個別に構築する。フォーリンエージェント（ＦＡ）は、モバイルノード（ＭＮ）から受信したＲＲＱを用いて構築した全てのＲＲＱメッセージを対応したホームエージェント（ＨＡ）に送信する。
このとき、フォーリンエージェント（ＦＡ）は、全てのホームエージェント（ＨＡ）から受信したＲＲＰを解析して、モバイルノード（ＭＮ）に対する１つのＲＲＰメッセージを構築する。フォーリンエージェント（ＦＡ）は、全てのホームエージェント（ＨＡ）から受信したＲＲＰを用いて構築したモバイルノード（ＭＮ）に対する１つのＲＲＰメッセージをモバイルノード（ＭＮ）に送信する。
【００１７】
すなわち、本発明の移動体通信管理システムでは、フォーリンエージェント（ＦＡ）は、通信サービス毎に割り振られたホームエージェント（ＨＡ）と、モバイルノード（ＭＮ）が享受するサービスのサービス識別子と、サービスに使うホームアドレス（ＨｏＡ）と、サービスに関連付けられたホームエージェント（ＨＡ）のアドレスとを含む少なくとも１つの情報セットを、１つのＲＲＰ（Ｒｅｇｉｓｔｒａｔｉｏｎ  Ｒｅｐｌｙ）メッセージに載せてモバイルノード（ＭＮ）に通知し、モバイルノード（ＭＮ）から受信したＲＲＱ（Ｒｅｇｉｓｔｒａｔｉｏｎ  Ｒｅｑｕｅｓｔ）を解析して全てのホームエージェント（ＨＡ）に対するＲＲＱメッセージを個別に構築し、モバイルノード（ＭＮ）から受信したＲＲＱを用いて構築した全てのＲＲＱメッセージを対応したホームエージェント（ＨＡ）に送信し、全てのホームエージェント（ＨＡ）から受信したＲＲＰを解析して、モバイルノード（ＭＮ）に対する１つのＲＲＰメッセージを構築し、全てのホームエージェント（ＨＡ）から受信したＲＲＰを用いて構築した１つのＲＲＰメッセージをモバイルノード（ＭＮ）に送信する。認証サーバは、モバイルノード（ＭＮ）の認証情報と共に、サービス識別子とホームエージェント（ＨＡ）情報を保持し、サービスに対して、モバイルノード（ＭＮ）が各通信サービスに使うホームアドレス（ＨｏＡ）とモバイルノード（ＭＮ）が在圏するネットワークに帰属したケア・オブ・アドレス（ＣｏＡ）の対応関係を対応するサービス識別子に関連付けられたホームエージェント（ＨＡ）に登録し、モバイルノード（ＭＮ）が享受するサービスのサービス識別子と、サービスに使うホームアドレス（ＨｏＡ）と、サービスに関連付けられたホームエージェント（ＨＡ）のアドレスとを、フォーリンエージェント（ＦＡ）に通知する。このとき、モバイルノード（ＭＮ）は、全てのホームエージェント（ＨＡ）に位置登録するために必要な情報を１つのＲＲＱメッセージに載せてフォーリンエージェント（ＦＡ）に通知し、サービス識別子と対応したホームアドレス（ＨｏＡ）とホームエージェント（ＨＡ）のアドレスとを保持する。
【００１８】
本発明の他の観点において、本発明の移動体通信管理方法では、モバイルノード（ＭＮ）がフォーリンエージェント（ＦＡ）を介してモバイルネットワークに接続すると、エージェントアドバタイズメント（ＡＡ）をモバイルノード（ＭＮ）に送信する。モバイルノード（ＭＮ）がエージェントアドバタイズメント（ＡＡ）を受信すると、モバイルノード（ＭＮ）が享受するサービスに対するホームアドレス（ＨｏＡ）を取得するため、バルクＲＲＱ（Ｒｅｇｉｓｔｒａｔｉｏｎ  Ｒｅｑｕｅｓｔ）をフォーリンエージェント（ＦＡ）に送信する。バルクＲＲＱは、バルク転送されるＲＲＱである。バルク転送とは、通信回線上にまとまった大量のデータを、一度に転送することである。フォーリンエージェント（ＦＡ）がバルクＲＲＱを受信すると、モバイルノード（ＭＮ）に割り当てられるホームアドレス（ＨｏＡ）とホームエージェント（ＨＡ）のアドレスとを求める（解決する）ために認証サーバにＡＭＲ（ＡＡ−Ｍｏｂｉｌｅ−Ｎｏｄｅ−Ｒｅｑｕｅｓｔ）を送信して問い合わせる。認証サーバがＡＭＲを受信し、ＡＭＲからモバイルノード（ＭＮ）がサービスに対するホームアドレス（ＨｏＡ）及びホームエージェント（ＨＡ）解決を希望していることを認識すると、自身の保持するサービスのサービス識別子に対応するホームエージェント（ＨＡ）情報から、サービス毎にホームエージェント（ＨＡ）のアドレスを求め、各ホームエージェント（ＨＡ）に対してモバイルノード（ＭＮ）のホームアドレス（ＨｏＡ）とモバイルノード（ＭＮ）が在圏するネットワーク情報を有するケア・オブ・アドレス（ＣｏＡ）を登録する。全てのホームエージェント（ＨＡ）に対する登録が完了すると、認証サーバが、ＡＭＡ（ＡＡ−Ｍｏｂｉｌｅ−Ｎｏｄｅ−Ａｎｓｗｅｒ）にサービス識別子に対応するホームアドレス（ＨｏＡ）及びホームエージェント（ＨＡ）のアドレスを含めてフォーリンエージェント（ＦＡ）に送信する。フォーリンエージェント（ＦＡ）がＡＭＡを受信するとサービス識別子に対応するホームアドレス（ＨｏＡ）及びホームエージェント（ＨＡ）のアドレス情報を含んだバルクＲＲＰ（Ｒｅｇｉｓｔｒａｔｉｏｎ  Ｒｅｐｌｙ）を構築し、モバイルノード（ＭＮ）に送信する。バルクＲＲＰは、バルク転送されるＲＲＰである。
【００１９】
本発明の更に他の観点において、本発明の移動体通信管理方法では、モバイルノード（ＭＮ）がフォーリンエージェント（ＦＡ）に接続すると、フォーリンエージェント（ＦＡ）がエージェントアドバタイズメント（ＡＡ）をモバイルノード（ＭＮ）に送信する。モバイルノード（ＭＮ）がエージェントアドバタイズメント（ＡＡ）を受信すると、バルクＲＲＱ（Ｒｅｇｉｓｔｒａｔｉｏｎ  Ｒｅｑｕｅｓｔ）をフォーリンエージェント（ＦＡ）に送信する。フォーリンエージェント（ＦＡ）がバルクＲＲＱを受信すると、受信したバルクＲＲＱから、通信サービス毎に割り振られたホームエージェント（ＨＡ）に対するＲＲＱを再構築し、対応する各ホームエージェント（ＨＡ）に対して送信する。フォーリンエージェント（ＦＡ）が、全てのホームエージェント（ＨＡ）からＲＲＰ（Ｒｅｇｉｓｔｒａｔｉｏｎ  Ｒｅｐｌｙ）を受信するとモバイルノード（ＭＮ）に対してバルクＲＲＰを送信する。
【００２０】
上記の各移動体通信管理方法では、ホームエージェント（ＨＡ）のうち少なくとも１つへの登録が失敗した場合、ＲＲＰのＣｏｄｅフィールドにエラーコードが含まれ、フォーリンエージェント（ＦＡ）が、ホームエージェント（ＨＡ）のうち少なくとも１つから受信したＲＲＰがエラーであってもバルクＲＲＰを構築してモバイルノード（ＭＮ）に送信する。モバイルノード（ＭＮ）がバルクＲＲＰを受信すると、バルクＲＲＰを解析して幾つかの位置登録が失敗したことを検出し、登録失敗したホームエージェント（ＨＡ）に対して再送等の処理を行う。
上記の各移動体通信管理方法では、フォーリンエージェント（ＦＡ）が一定時間待っても全てのＲＲＰが返ってこないことを検出すると、ＲＲＰが返ってこなかったＲＲＱに対するＲＲＰをフォーリンエージェント（ＦＡ）内で作成した後、バルクＲＲＰを作成し、モバイルノード（ＭＮ）に送信する。モバイルノード（ＭＮ）がバルクＲＲＰを受信すると、バルクＲＲＰを解析して幾つかの位置登録がタイムアウトしたことを検出し、登録失敗したホームエージェント（ＨＡ）に対して再送処理を行う。
【００２１】
本発明の更に他の観点において、本発明の移動体通信管理方法では、モバイルノード（ＭＮ）が第１フォーリンエージェント（ＦＡ）から第２フォーリンエージェント（ＦＡ）へ移動したことを検知すると、Ｌ２  ｔｒｉｇｇｅｒ信号を第１フォーリンエージェント（ＦＡ）に送信して第２フォーリンエージェント（ＦＡ）へハンドオーバすることを第１フォーリンエージェント（ＦＡ）に通知する。第１フォーリンエージェント（ＦＡ）がＬ２  ｔｒｉｇｇｅｒ信号を受信すると、第２フォーリンエージェント（ＦＡ）に対してコンテキスト情報を送信する。第２フォーリンエージェント（ＦＡ）がコンテキスト情報を取得すると、モバイルノード（ＭＮ）に対してエージェントアドバタイズメント（ＡＡ）を送信する。モバイルノード（ＭＮ）がエージェントアドバタイズメントを受信すると、移動を検知してバルクＲＲＱ（Ｒｅｇｉｓｔｒａｔｉｏｎ  Ｒｅｑｕｅｓｔ）を第２フォーリンエージェント（ＦＡ）へ送信する。第２フォーリンエージェント（ＦＡ）がバルクＲＲＱを受信すると、バルクＲＲＱとコンテキスト情報を用いて通信サービス毎に割り振られたホームエージェント（ＨＡ）に対するＲＲＱを再構築し、対応する各ホームエージェント（ＨＡ）に対して送信する。第２フォーリンエージェント（ＦＡ）が全てのホームエージェント（ＨＡ）からＲＲＰ（Ｒｅｇｉｓｔｒａｔｉｏｎ  Ｒｅｐｌｙ）を受信すると、バルクＲＲＰを構築し、モバイルノード（ＭＮ）に送信する。
【００２２】
本発明の移動体通信管理プログラムは、上記の各移動体通信管理方法をコンピュータに実行させることが可能である。この場合、移動体通信管理プログラムは、コンピュータを、上記の各移動体通信管理方法を実施するために必要な各装置として機能させるためのプログラムである。
【００２３】
このように、本発明では、ＡＡＡサーバは、モバイルノード（ＭＮ）の認証情報と共に、モバイルノード（ＭＮ）が享受する全サービスのサービス識別子とホームエージェント（ＨＡ）情報を保持する。また、ＡＡＡサーバは、モバイルノード（ＭＮ）が享受する全サービスに対して、モバイルノード（ＭＮ）が各通信サービスに使うホームアドレス（ＨｏＡ）とモバイルノード（ＭＮ）が在圏するネットワーク情報を有するケア・オブ・アドレス（ＣｏＡ）の対応関係を、対応するサービス識別子に関連付けられたホームエージェント（ＨＡ）に登録する。また、ＡＡＡサーバは、モバイルノード（ＭＮ）が享受する全サービスのサービス識別子と、そのサービスに使うホームアドレス（ＨｏＡ）と、そのサービスに関連付けられたホームエージェント（ＨＡ）のＩＰアドレスを、フォーリンエージェント（ＦＡ）に通知する。また、フォーリンエージェント（ＦＡ）は、モバイルノード（ＭＮ）が享受する全サービスのサービス識別子と、そのサービスに使うホームアドレス（ＨｏＡ）と、そのサービスに関連付けられたホームエージェント（ＨＡ）のＩＰアドレスを、ＭＩＰｖ４のＲＲＰ（Ｒｅｇｉｓｔｒａｔｉｏｎ  Ｒｅｐｌｙ）メッセージに載せてモバイルノード（ＭＮ）に通知する。
本発明により、ＡＡＡサーバでモバイルノード（ＭＮ）が享受するサービス識別子に対応するホームエージェント（ＨＡ）情報を保持しているので、無線区間を伝播するシグナリング量を削減することが可能になる。また、モバイルノード（ＭＮ）及びフォーリンエージェント（ＦＡ）間でＲＲＱ／ＲＲＰメッセージを集約して送受信するので、無線区間を伝播するシグナリング量を削減することが可能になる。
【図面の簡単な説明】
【００２４】
【図１】図１は、従来のＭＩＰｖ４のアドレス取得方法を示すシーケンス図である。
【図２】図２は、本発明のシステム構成を示すブロック図である。
【図３】図３は、本発明の第１の動作を示すシーケンス図である。
【図４】図４は、本発明の第２の動作を示すシーケンス図である。
【図５】図５は、本発明の第３の動作を示すシーケンス図である。
【図６】図６は、本発明の第４の動作を示すシーケンス図である。
【図７】図７は、本発明の第５の動作を示すシーケンス図である。
【発明を実施するための最良の形態】
【００２５】
以下に本発明の移動体通信管理システムについて添付図面を参照して説明する。
図２は、本発明の第１実施例における移動体通信管理システムの構成を示すブロック図である。図２を参照すると、本実施例におけるモバイルネットワーク１００は、ホームエージェント（ＨＡ）１０−１〜１０−ｎと、フォーリンエージェント（ＦＡ）２０−１，２０−２）と、ＡＡＡ（Ａｕｔｈｅｎｔｉｃａｔｉｏｎ、Ａｕｔｈｏｒｉｚａｔｉｏｎ、Ａｃｃｏｕｎｔｉｎｇ  Ｓｅｒｖｅｒ）サーバ３０を備えている。【００２６】
モバイルネットワーク１００は、モバイルノード（ＭＮ）４０にモビリティサービスを提供するネットワークである。【００２７】
ホームエージェント（ＨＡ）１０−１〜１０−ｎの各々は、ホームエージェント（ＨＡ）機能を備えたルータである。ここでは、ホームエージェント（ＨＡ）機能は、通信サービス毎に割り当てられているものとする。【００２８】
フォーリンエージェント（ＦＡ）２０−１，２０−２の各々は、フォーリンエージェント（ＦＡ）機能を備えたルータである。ここでは、フォーリンエージェント（ＦＡ）２０−１，２０−２の各々は、モバイルノード（ＭＮ）４０が享受する全サービスのサービス識別子と、サービス毎に使用されるＩＰアドレス（Ｈｏｍｅ  Ａｄｄｒｅｓｓ：ＨｏＡ）と、サービス毎に関連付けられたホームエージェント（ＨＡ）のＩＰアドレスを含む１つ又は複数個の情報セットを、１つのＭＩＰｖ４のＲＲＰ（Ｒｅｇｉｓｔｒａｔｉｏｎ  Ｒｅｐｌｙ）メッセージに載せてモバイルノード（ＭＮ）４０に通知する。また、フォーリンエージェント（ＦＡ）２０−１，２０−２の各々は、本発明の移動体通信管理システムに対応していることをエージェントアドバタイズメント（ＡＡ）メッセージに載せてモバイルノード（ＭＮ）４０に通知する。エージェントアドバタイズメント（ＡＡ）を用いて、フォーリンエージェント（ＦＡ）２０−１が本発明の移動体通信管理システムに対応していることをモバイルノード（ＭＮ）４０に通知する方法として、例えばフォーリンエージェント（ＦＡ）２０−１が本発明の移動体通信管理システムに対応していることを示す専用のフラグ（ｆｌａｇ）をエージェントアドバタイズメント（ＡＡ）内に用意することが考えられる。なお、フラグとは、設定した条件の成立の有無や、データの状態をチェックするために設けられる変数である。通常、ＯＮ／ＯＦＦ（ＴＲＵＥ／ＦＡＬＳＥ、又はＳＥＴ／ＲＥＳＥＴ）の２値項目として設定する。１と０によって表されることもある。また、フォーリンエージェント（ＦＡ）２０−１，２０−２の各々は、モバイルノード（ＭＮ）４０から受信したＲＲＱ（Ｒｅｇｉｓｔｒａｔｉｏｎ  Ｒｅｑｕｅｓｔ）を解析して全てのホームエージェント（ＨＡ）１０−１〜１０−ｎに対するＲＲＱメッセージを個別に構築する。また、フォーリンエージェント（ＦＡ）２０−１，２０−２の各々は、全てのＲＲＱメッセージを、対応するホームエージェント（ＨＡ）に送信する。また、全てのホームエージェント（ＨＡ）１０−１〜１０−ｎから受信したＲＲＰを解析して、モバイルノード（ＭＮ）４０に対する１つのＲＲＰメッセージを構築する。更に、フォーリンエージェント（ＦＡ）２０−１，２０−２の各々は、全てのホームエージェント（ＨＡ）１０−１〜１０−ｎから受信したＲＲＰを用いて構築した１つのＲＲＰメッセージをモバイルノード（ＭＮ）４０に送信する。【００２９】
ＡＡＡサーバ３０は、認証、許可、会計（Ａｕｔｈｅｎｔｉｃａｔｉｏｎ、Ａｕｔｈｏｒｉｚａｔｉｏｎ、Ａｃｃｏｕｎｔｉｎｇ）機能を備えた認証サーバである。ここでは、ＡＡＡサーバ３０は、モバイルノード（ＭＮ）４０の認証情報と共に、モバイルノード（ＭＮ）４０が享受する全サービスのサービス識別子と、ホームエージェント（ＨＡ）に関するホームエージェント（ＨＡ）情報を関連付けてリスト形式で保持するものとする。但し、実際には、この例に限定されない。また、ＡＡＡサーバ３０は、モバイルノード（ＭＮ）４０が享受する全サービスに対して、「モバイルノード（ＭＮ）４０が各通信サービスに使うホームアドレス（ＨｏＡ）」と「モバイルノード（ＭＮ）４０のケア・オブ・アドレス（ＣｏＡ）」の対応関係を、サービス識別子に関連付けられたホームエージェント（ＨＡ）に登録する。更に、ＡＡＡサーバ３０は、モバイルノード（ＭＮ）４０が享受する全サービスのサービス識別子と、サービス毎に使用されるホームアドレス（ＨｏＡ）と、サービス毎に関連付けられたホームエージェント（ＨＡ）のＩＰアドレスを、フォーリンエージェント（ＦＡ）２０−１，２０−２のうち少なくとも一方に通知する。【００３０】
モバイルノード（ＭＮ）４０は、移動端末である。ここでは、モバイルノード（ＭＮ）４０は、全てのホームエージェント（ＨＡ）１０−１〜１０−ｎに位置登録するために必要な情報を１つのＲＲＱメッセージに載せてフォーリンエージェント（ＦＡ）に通知する。また、モバイルノード（ＭＮ）４０は、モバイルノード（ＭＮ）４０自身が享受する全サービスのサービス識別子と対応したホームアドレス（ＨｏＡ）、ホームエージェント（ＨＡ）アドレスを保持する。ここでは、サービス毎に、サービス識別子、ホームアドレス（ＨｏＡ）、ホームエージェント（ＨＡ）アドレスがそれぞれ１対１で対応するように関連付けてリスト形式で保持するものとする。但し、この例に限定されない。【００３１】
図２では、フォーリンエージェント（ＦＡ）２０−１，２０−２は、ＡＡＡサーバ３０と直接接続しているが、例えばローミング（ｒｏａｍｉｎｇ）等により、モバイルノード（ＭＮ）４０の在圏場所に応じてＡＡＡサーバのプロキシ機能を介してＡＡＡサーバ３０に接続するケースもありえる。【００３２】
ここで、上記記載のサービス識別子として、例えばポート番号やＳＩＰ−ＵＲＩ等が考えられる。ＳＩＰ−ＵＲＩは、ＳＩＰ（Ｓｅｓｓｉｏｎ  Ｉｎｉｔｉａｔｉｏｎ  Ｐｒｏｔｏｃｏｌ）で相手を指定するときのアドレス形式（Ｕｎｉｆｏｒｍ  Ｒｅｓｏｕｒｃｅ  Ｉｄｅｎｔｉｆｉｅｒ：ＵＲＩ）である。【００３３】
次に、図３に示すシーケンス図を参照して、本実施例におけるモバイルノード（ＭＮ）４０のホームアドレス（ＨｏＡ）取得の動作を説明する。ここでは、一例として、フォーリンエージェント（ＦＡ）２０−１，２０−２のうちフォーリンエージェント（ＦＡ）２０−１を使用する。但し、この例に限定されない。
（１）ステップＳ１０１
まず、モバイルノード（ＭＮ）４０がフォーリンエージェント（ＦＡ）２０−１を介してモバイルネットワーク１００に接続すると、フォーリンエージェント（ＦＡ）２０−１は、自身がフォーリンエージェント（ＦＡ）機能をサポートすること及び本発明の移動体通信管理システムに対応していることをモバイルノード（ＭＮ）４０に通知するためにエージェントアドバタイズメント（ＡＡ）をモバイルノード（ＭＮ）に送信する。
（２）ステップＳ１０２
モバイルノード（ＭＮ）４０は、エージェントアドバタイズメント（ＡＡ）を受信すると、フォーリンエージェント（ＦＡ）２０−１が本発明の移動体通信管理システムに対応していることを検知する。その後、全サービスに対するホームアドレス（ＨｏＡ）を取得するため、バルクＲＲＱをフォーリンエージェント（ＦＡ）２０−１に送信する。バルクＲＲＱは、バルク転送されるＲＲＱである。バルク転送とは、通信回線上にまとまった大量のデータを、一度に転送することである。ここで送信されるバルクＲＲＱは「送信元ＩＰアドレス」で、バルクＲＲＱのペイロード内のホームアドレス（ＨｏＡ）及びホームエージェント（ＨＡ）フィールドはオール０で設定されている。また、バルクＲＲＱは、本ＲＲＱがモバイルノード（ＭＮ）４０のものと識別できるように、モバイルノード（ＭＮ）４０のＮＡＩ（Ｎｅｔｗｏｒｋ  Ａｃｃｅｓｓ  Ｉｄｅｎｔｉｆｉｅｒ）を具備している。ここでは、バルクＲＲＱはペイロード内にホームエージェント（ＨＡ）１０−１〜１０−ｎのＮＡＩを備えて、明示的にモバイルノード（ＭＮ）４０が本発明の移動体通信管理システムに対応していることをフォーリンエージェント（ＦＡ）２０−１に通知しているものとする。すなわち、バルクＲＲＱは、ペイロード内に、ホームアドレス（ＨｏＡ）と、ホームエージェント（ＨＡ）と、モバイルノード（ＭＮ）のＮＡＩと、ホームエージェント（ＨＡ）のＮＡＩを含む。
（３）ステップＳ１０３
フォーリンエージェント（ＦＡ）２０−１は、バルクＲＲＱを受信すると、モバイルノード（ＭＮ）４０に割り当てられるホームアドレス（ＨｏＡ）とホームエージェント（ＨＡ）を求めるために、ＡＡＡサーバ３０にＡＭＲ（ＡＡ−Ｍｏｂｉｌｅ−Ｎｏｄｅ−Ｒｅｑｕｅｓｔ）を送信して問い合わせる。このＡＭＲには、モバイルノード（ＭＮ）のＮＡＩ（ＭＮ  ＮＡＩ）とホームエージェント（ＨＡ）のＮＡＩ（ＨＡ  ＮＡＩ）が含まれている。
（４）ステップＳ１０４
ＡＡＡサーバ３０は、ＡＭＲを受信すると、ＡＭＲに含まれるＨＡ  ＮＡＩからモバイルノード（ＭＮ）４０が全サービスに対するホームアドレス（ＨｏＡ）及びホームエージェント（ＨＡ）解決を希望していることを認識する。ここでは、ＡＡＡサーバ３０は、モバイルノード（ＭＮ）４０の認証情報と共に、モバイルノード（ＭＮ）４０が享受する全サービスのサービス識別子と、ホームエージェント（ＨＡ）に関するホームエージェント（ＨＡ）情報を関連付けて保持している。ＡＡＡサーバ３０は、自身の保持する「モバイルノード（ＭＮ）４０が享受する全サービス識別子」に対応するホームエージェント（ＨＡ）情報から、サービス毎にホームエージェント（ＨＡ）アドレスを求め、各ホームエージェント（ＨＡ）１０−１〜１０−ｎに対して、モバイルノード（ＭＮ）４０のホームアドレス（ＨｏＡ）とケア・オブ・アドレス（ＣｏＡ）を登録する。ここでは、モバイルノード（ＭＮ）４０のホームアドレス（ＨｏＡ）とケア・オブ・アドレス（ＣｏＡ）を、モバイルノード（ＭＮ）４０が在圏するフォーリンエージェント（ＦＡ）２０−１のＩＰアドレス、ＡＭＲの送信元ＩＰアドレス等から取得する。ＡＡＡサーバ３０が管理するホームエージェント（ＨＡ）情報としてホームエージェント（ＨＡ）のＩＰアドレスやホームプリフィクス（Ｈｏｍｅ  Ｐｒｅｆｉｘ）、ＨＡ  ＮＡＩ等が考えられる。
（５）ステップＳ１０５
全てのホームエージェント（ＨＡ）に対する登録が完了すると、ＡＡＡサーバ３０は、ＡＭＡ（ＡＡ−Ｍｏｂｉｌｅ−Ｎｏｄｅ−Ａｎｓｗｅｒ）にモバイルノード（ＭＮ）４０が享受する全サービス識別子に対応するホームアドレス（ＨｏＡ）及びホームエージェント（ＨＡ）のＩＰアドレスを含めてフォーリンエージェント（ＦＡ）２０−１に送信する。
（６）ステップＳ１０６
フォーリンエージェント（ＦＡ）２０−１は、ＡＭＡを受信すると、モバイルノード（ＭＮ）４０が享受する全サービス識別子に対応するホームアドレス（ＨｏＡ）及びホームエージェント（ＨＡ）のＩＰアドレス情報を含んだバルクＲＲＰを構築し、モバイルノード（ＭＮ）４０に送信する。バルクＲＲＰは、バルク転送されるＲＲＰである。【００３４】
次に、図４に示すシーケンス図を参照して、本実施例におけるモバイルノード（ＭＮ）４０のハンドオーバの動作を説明する。図４のシーケンスはモバイルノード（ＭＮ）４０がフォーリンエージェント（ＦＡ）２０−１からフォーリンエージェント（ＦＡ）２０−２にハンドオーバしたときの動作を示している。
（１）ステップＳ２０１
まず、モバイルノード（ＭＮ）４０がフォーリンエージェント（ＦＡ）２０−２に接続すると、フォーリンエージェント（ＦＡ）２０−２はエージェントアドバタイズメント（ＡＡ）をモバイルノード（ＭＮ）４０に送信する。
（２）ステップＳ２０２
モバイルノード（ＭＮ）４０は、エージェントアドバタイズメント（ＡＡ）を受信すると、エージェントアドバタイズメント（ＡＡ）に含まれるプリフィクス（Ｐｒｅｆｉｘ）情報から、自身がフォーリンエージェント（ＦＡ）２０−２へ移動したことを検知する。すなわち、モバイルノード（ＭＮ）４０は、エージェントアドバタイズメント（ＡＡ）を受信することで、自身がフォーリンエージェント（ＦＡ）２０−２に接続されたことを認識する。その後、モバイルノード（ＭＮ）４０は、ハンドオーバを行うため、バルクＲＲＱをフォーリンエージェント（ＦＡ）２０−２に送信する。ここで送信されるバルクＲＲＱのペイロードは、全てのホームエージェント（ＨＡ）に対する個別のＲＲＱのペイロードを、対応するホームエージェント（ＨＡ）に関連付けてリスト形式で格納しているものとする。
（３）ステップＳ２０３
フォーリンエージェント（ＦＡ）２０−２は、バルクＲＲＱを受信すると、受信したバルクＲＲＱから各ホームエージェント（ＨＡ）に対するＲＲＱを再構築し、対応する各ホームエージェント（ＨＡ）１０−１〜１０−ｎに対して送信する。
（４）ステップＳ２０４
フォーリンエージェント（ＦＡ）２０−２は、全てのホームエージェント（ＨＡ）１０−１〜１０−ｎからＲＲＰを受信すると、モバイルノード（ＭＮ）４０に対してバルクＲＲＰを送信する。ここで送信されるバルクＲＲＰのペイロードは、全てのホームエージェント（ＨＡ）からの個別のＲＲＰのペイロードを、対応するホームエージェント（ＨＡ）に関連付けてリスト形式で格納しているものとする。【００３５】
次に、図５に示すシーケンス図を参照して、本実施例におけるホームエージェント（ＨＡ）内の問題（例えばホームエージェント（ＨＡ）のリソース不足）によりモバイルノード（ＭＮ）４０のハンドオーバが失敗したときの動作を説明する。図５のシーケンスは図４と同じく、モバイルノード（ＭＮ）４０がフォーリンエージェント（ＦＡ）２０−１からフォーリンエージェント（ＦＡ）２０−２にハンドオーバしたときの動作を示している。【００３６】
フォーリンエージェント（ＦＡ）２０−２が各ホームエージェント（ＨＡ）１０−１〜１０−ｎに対してＲＲＱを送信するまでは図４の手順と同様である。
（１）ステップＳ３０１
何らかの理由により、ホームエージェント（ＨＡ）１０−１〜１０−ｎのうち少なくとも１つへの登録が失敗した場合、ＲＲＰのＣｏｄｅフィールドにエラーコードが含まれている。フォーリンエージェント（ＦＡ）２０−２は、ホームエージェント（ＨＡ）１０−１〜１０−ｎのうち少なくとも１つから受信したＲＲＰがエラーであっても、図４と同様にバルクＲＲＰを構築し、モバイルノード（ＭＮ）４０に送信する。
（２）ステップＳ３０２
モバイルノード（ＭＮ）４０は、バルクＲＲＰを受信すると、バルクＲＲＰを解析して幾つかの位置登録が失敗したことを検出できるので、登録失敗したホームエージェント（ＨＡ）に対して再送等の処理を行う。【００３７】
次に、図６に示すシーケンス図を参照して、本実施例におけるＲＲＱメッセージ紛失によりモバイルノード（ＭＮ）４０のハンドオーバが失敗したときの動作を説明する。図６のシーケンスは図４と同じく、モバイルノード（ＭＮ）４０がフォーリンエージェント（ＦＡ）２０−１からフォーリンエージェント（ＦＡ）２０−２にハンドオーバしたときの動作を示している。【００３８】
図６において、フォーリンエージェント（ＦＡ）２０−２が各ホームエージェント（ＨＡ）１０−１〜１０−ｎに対してＲＲＱを送信するまでは図４の手順と同様である。
（１）ステップＳ４０１
何らかの理由によりＲＲＱメッセージがホームエージェント（ＨＡ）１０−１〜１０−ｎに届く前に紛失した場合、それに対応するＲＲＰはフォーリンエージェント（ＦＡ）２０−２に返ってこない。フォーリンエージェント（ＦＡ）２０−２は、一定時間待っても全てのＲＲＰが返ってこないことを検出すると、ホームエージェント（ＨＡ）１０−１〜１０−ｎからのＲＲＰが返ってこなかったＲＲＱに対するモバイルノード（ＭＮ）４０宛のＲＲＰをフォーリンエージェント（ＦＡ）２０−２内で作成した後、このフォーリンエージェント（ＦＡ）２０−２で作成されたＲＲＰを含むバルクＲＲＰを作成し、モバイルノード（ＭＮ）４０に送信する。ここで、フォーリンエージェント（ＦＡ）２０−２で作成されたＲＲＰのＣｏｄｅフィールドには、タイムアウト（Ｔｉｍｅｏｕｔ）によりハンドオーバが失敗したことを意味する値が入っている。
（２）ステップＳ４０２
モバイルノード（ＭＮ）４０は、バルクＲＲＰを受信すると、バルクＲＲＰを解析して幾つかの位置登録がタイムアウトしたことを検出できるので、登録失敗したホームエージェント（ＨＡ）に対して再送処理を行う。【００３９】
以下に本発明の第２実施例について説明する。
本発明の第２実施例では、その基本的構成は図２の通りであるが、ハンドオーバ手順について更に工夫している。そのシーケンス図を図７に示す。本図において、フォーリンエージェント（ＦＡ）２０−１及びフォーリンエージェント（ＦＡ）２０−２はハンドオーバ時にモバイルノード（ＭＮ）４０のコンテキスト情報の受け渡しを行う。【００４０】
図７に示すシーケンス図を参照して、本実施例におけるモバイルノード（ＭＮ）４０のハンドオーバの動作を説明する。図７のシーケンスはモバイルノード（ＭＮ）４０がフォーリンエージェント（ＦＡ）２０−１からフォーリンエージェント（ＦＡ）２０−２にハンドオーバしたときの動作を示している。
（１）ステップＳ５０１
まず、モバイルノード（ＭＮ）４０は、図４と同様の手順で、フォーリンエージェント（ＦＡ）２０−１からフォーリンエージェント（ＦＡ）２０−２への移動を検知すると、Ｌ２  ｔｒｉｇｇｅｒ信号をフォーリンエージェント（ＦＡ）２０−１に送信し、このモバイルノード（ＭＮ）４０がフォーリンエージェント（ＦＡ）２０−２へハンドオーバすることをフォーリンエージェント（ＦＡ）２０−１に通知する。このＬ２  ｔｒｉｇｇｅｒ信号としては、例えば、ＧＰＲＳ（Ｇｅｎｅｒａｌ  Ｐａｃｋｅｔ  Ｒａｄｉｏ  Ｓｅｒｖｉｃｅ）でいう「Ｍｅｓｕｒｅｍｅｎｔ  Ｒｅｐｏｒｔ」等が考えられる。
（２）ステップＳ５０２
フォーリンエージェント（ＦＡ）２０−１は、Ｌ２  ｔｒｉｇｇｅｒ信号を受信すると、フォーリンエージェント（ＦＡ）２０−２に対してコンテキスト情報を送信する。このコンテキスト情報は、モバイルノード（ＭＮ）４０のＮＡＩ及び全てのホームエージェント（ＨＡ）１０−１〜１０−ｎへの登録情報を含む。ホームエージェント（ＨＡ）１０−１〜１０−ｎへの登録情報としては、例えば、サービス識別子、ホームアドレス（ＨｏＡ）、ホームエージェント（ＨＡ）アドレス、トンネリング手法、ＲＲＱ内のフラグ情報やＬｉｆｅｔｉｍｅ等が考えられる。
（３）ステップＳ５０３
フォーリンエージェント（ＦＡ）２０−２は、コンテキスト情報を取得すると、モバイルノード（ＭＮ）４０に対してエージェントアドバタイズメント（ＡＡ）を送信する。
（４）ステップＳ５０４
モバイルノード（ＭＮ）４０は、エージェントアドバタイズメント（ＡＡ）を受信すると、バルクＲＲＱをフォーリンエージェント（ＦＡ）２０−２へ送信する。ここで送信されるバルクＲＲＱのペイロードには、各サービスで使用しているホームアドレス（ＨｏＡ）と、全てのホームエージェント（ＨＡ）に対する個別のＲＲＱ内に含まれる動的な情報（認証情報等）のみ含まれる。
（５）ステップＳ５０５
フォーリンエージェント（ＦＡ）２０−２は、モバイルノード（ＭＮ）４０からのバルクＲＲＱを受信すると、バルクＲＲＱとコンテキスト情報を用いて各ホームエージェント（ＨＡ）に対するＲＲＱを再構築し、対応する各ホームエージェント（ＨＡ）１０−１〜１０−ｎに対して送信する。
（６）ステップＳ５０６
フォーリンエージェント（ＦＡ）２０−２は、全てのホームエージェント（ＨＡ）１０−１〜１０−ｎからのＲＲＰを受信すると、バルクＲＲＰを構築し、モバイルノード（ＭＮ）４０に送信する。ここで送信されるバルクＲＲＰのペイロードには、各サービスで使用しているホームアドレス（ＨｏＡ）と、全てのホームエージェント（ＨＡ）からの個別のＲＲＰ内に含まれる動的な情報（ハンドオーバ結果、認証情報等）のみ含まれる。【００４１】
以上説明したように、本発明の第２実施例においては、ハンドオーバ時に無線区間を伝播するシグナリングのデータ量を削減できるので、更なる無線帯域の有効利用が可能となる。【００４２】
以上のように、本発明は、ＩＰサービスを提供する移動体通信管理システムにおいて、移動端末等のモバイルノード（Ｍｏｂｉｌｅ  Ｎｏｄｅ：ＭＮ）がサービス毎に異なる複数の通信用ＩＰアドレス（Ｈｏｍｅ  Ａｄｄｒｅｓｓ：ＨｏＡ）を同時に必要とする場合に、無線区間を伝播するホームアドレス（ＨｏＡ）の取得やハンドオーバ時のシグナリング量を削減する。【００４３】
本発明の特徴について、図２を参照して説明すると、ＡＡＡサーバは、モバイルノード（ＭＮ）の認証情報と共に、モバイルノード（ＭＮ）が享受する全サービスのサービス識別子とホームエージェント（Ｈｏｍｅ  Ａｇｅｎｔ：ＨＡ）情報を保持する。【００４４】
また、図３を参照して説明すると、ＡＡＡサーバは、モバイルノード（ＭＮ）が享受する全サービスについて、モバイルノード（ＭＮ）が各通信サービスに使うホームアドレス（ＨｏＡ）と、モバイルノード（ＭＮ）が在圏するネットワーク情報を有するＩＰアドレス（Ｃａｒｅ−ｏｆ  Ａｄｄｒｅｓｓ：ＣｏＡ）の対応関係を、対応するサービス識別子に関連付けられたホームエージェント（ＨＡ）に登録する。【００４５】
また、図３を参照して説明すると、ＡＡＡサーバは、モバイルノード（ＭＮ）が享受するサービスのサービス識別子と、そのサービスに使うホームアドレス（ＨｏＡ）と、そのサービスに関連付けられたホームエージェント（ＨＡ）のＩＰアドレスを、フォーリンエージェント（Ｆｏｒｅｉｇｎ  Ａｇｅｎｔ：ＦＡ）に通知する。【００４６】
また、図３を参照して説明すると、フォーリンエージェント（ＦＡ）は、モバイルノード（ＭＮ）が享受するサービスのサービス識別子と、そのサービスに使うホームアドレス（ＨｏＡ）と、そのサービスに関連付けられたホームエージェント（ＨＡ）のＩＰアドレスを、ＭＩＰｖ４のＲＲＰ（Ｒｅｇｉｓｔｒａｔｉｏｎ  Ｒｅｐｌｙ）メッセージに載せてモバイルノード（ＭＮ）に通知する。【００４７】
また、図３を参照して説明すると、フォーリンエージェント（ＦＡ）は、本発明の移動体通信管理システムに対応していることをエージェントアドバタイズメント（Ａｇｅｎｔ  Ａｄｖｅｒｔｉｓｅｍｅｎｔ：ＡＡ）メッセージに載せてモバイルノード（ＭＮ）に通知する。【００４８】
また、図４を参照して説明すると、モバイルノード（ＭＮ）は、全てのホームエージェント（ＨＡ）に位置登録するために必要な情報を１つのＲＲＱ（Ｒｅｇｉｓｔｒａｔｉｏｎ  Ｒｅｑｕｅｓｔ）メッセージに載せてフォーリンエージェント（ＦＡ）に通知する。【００４９】
また、図４を参照して説明すると、モバイルノード（ＭＮ）は、モバイルノード（ＭＮ）が享受する全サービスのサービス識別子と対応したホームアドレス（ＨｏＡ）、ホームエージェント（ＨＡ）アドレスを保持する。【００５０】
また、図４を参照して説明すると、フォーリンエージェント（ＦＡ）は、モバイルノード（ＭＮ）から受信したＲＲＱを解析して全てのホームエージェント（ＨＡ）に対するＲＲＱメッセージを個別に構築する。【００５１】
また、図４を参照して説明すると、フォーリンエージェント（ＦＡ）は、モバイルノード（ＭＮ）から受信したＲＲＱを用いて構築した全てのＲＲＱメッセージを対応したホームエージェント（ＨＡ）に送信する。【００５２】
また、図４を参照して説明すると、フォーリンエージェント（ＦＡ）は、全てのホームエージェント（ＨＡ）から受信したＲＲＰを解析して、モバイルノード（ＭＮ）に対する１つのＲＲＰメッセージを構築する。【００５３】
また、図４を参照して説明すると、フォーリンエージェント（ＦＡ）は、全てのホームエージェント（ＨＡ）から受信したＲＲＰを用いて構築したモバイルノード（ＭＮ）に対する１つのＲＲＰメッセージをモバイルノード（ＭＮ）に送信する。【００５４】
このようにして、本願発明では、モバイルノード（ＭＮ）がサービス毎に異なる複数のホームアドレス（ＨｏＡ）を同時に必要とする場合でも、ネットワーク側でホームアドレス（ＨｏＡ）解決や位置登録に必要な情報を管理しているので、無線区間を伝播するホームアドレス（ＨｏＡ）の取得や位置登録用のシグナリング量を削減できる。【００５５】
本発明は、更に、３ＧＰＰや３ＧＰＰ２、ＷｉＭＡＸ  Ｆｏｒｕｍ等の移動通信ネットワークへの適用が考えられる。
【図１】
2008059750.tif 000003
【図２】
2008059750.tif 000004
【図３】
2008059750.tif 000005
【図４】
2008059750.tif 000006
【図５】
2008059750.tif 000007
【図６】
2008059750.tif 000008
【図７】
2008059750.tif 000009
【国際調査報告】
2008059750.tif 000010
2008059750.tif 000011
2008059750.tif 000012